(57)【要約】【課題】操作性を向上できる処理装置を提供することである。【解決手段】処理端末は、第１筐体と、第２筐体と、回転軸と、ダンパと、付勢部材と、を備える。回転軸は、前記第１筐体に対して前記第２筐体を回転可能に支持する。ダンパは、前記回転軸に設けられ、前記第１筐体に対し前記第２筐体が離間した開位置及び前記第２筐体が前記第１筐体を覆う閉位置の間の前記第２筐体の回転を制動する。付勢部材は、前記回転軸に設けられ、少なくとも前記閉位置において前記第２筐体を前記閉位置から前記開位置に向かって付勢する。【選択図】      図２
2019198985.tif 000002
【特許請求の範囲】
【請求項１】
第１筐体と、
第２筐体と、
前記第１筐体に対して前記第２筐体を回転可能に支持する回転軸と、
前記回転軸に設けられ、前記第１筐体に対し前記第２筐体が離間した開位置及び前記第２筐体が前記第１筐体を覆う閉位置の間の前記第２筐体の回転を制動するダンパと、
前記回転軸に設けられ、少なくとも前記閉位置において前記第２筐体を前記閉位置から前記開位置に向かって付勢する付勢部材と、
を備える、処理端末。
【請求項２】
前記付勢部材は、前記第２筐体が前記開位置から前記閉位置に向かうに従い、付勢力が漸次増加するねじりばねである、請求項１に記載の処理端末。
【請求項３】
前記第１筐体は、第１基板を有し、
前記第２筐体は、前記第１基板とケーブルを介して接続される第２基板及び表示部を有し、
前記回転軸は、前記ケーブルを間に配置できる間隔を有して一対設けられ、
前記ダンパは、前記一対の回転軸にそれぞれ設けられ、
前記ねじりばねの両端は、前記第１筐体及び前記第２筐体に支持される、請求項２に記載の処理端末。
【請求項４】
前記閉位置において前記第１筐体及び前記第２筐体の固定及び解除を行うロック機構を有する、請求項１に記載の処理端末。
【請求項５】
前記第１筐体は、ロール紙を収容可能な収容部を有し、
前記第２基板は、前記第２筐体内に配置され、
前記第２筐体は、前記閉位置において前記第１筐体と対向し、且つ、前記第２基板の交換部材を装着する部位と少なくとも対向する開口を有する、請求項３に記載の処理端末。
【発明の詳細な説明】
【技術分野】
【０００１】
本発明の実施形態は、処理端末に関する。
【背景技術】
【０００２】
従前から、店舗等において決済処理を行う装置として、第１筐体に対して第１筐体を覆う第２筐体が所定の角度範囲で回転する処理端末が知られている。このような処理端末は、内部にプリンタにより印字するロール紙を収容する収容部を有することから、ロール紙の補給時に、第１筐体に対して第２筐体を回転させて処理端末を開閉する操作を要する。
【０００３】
しかしながら、第２筐体にディスプレイや基板等を配置すると第２筐体の重量が大きくなり、処理端末の開閉操作において第２筐体を操作するために大きな力を要することから、処理端末の操作性が低下する虞がある。
【先行技術文献】
【特許文献】
【０００４】
【特許文献１】特開２０１５−１４６３５０号公報
【発明の概要】
【発明が解決しようとする課題】
【０００５】
本発明が解決しようとする課題は、操作性を向上できる処理装置を提供することである。
【課題を解決するための手段】
【０００６】
実施形態の処理端末は、第１筐体と、第２筐体と、回転軸と、ダンパと、付勢部材と、を備える。回転軸は、前記第１筐体に対して前記第２筐体を回転可能に支持する。ダンパは、前記回転軸に設けられ、前記第１筐体に対し前記第２筐体が離間した開位置及び前記第２筐体が前記第１筐体を覆う閉位置の間の前記第２筐体の回転を制動する。付勢部材は、前記回転軸に設けられ、少なくとも前記閉位置において前記第２筐体を前記閉位置から前記開位置に向かって付勢する。
【図面の簡単な説明】
【０００７】
【図１】実施形態の処理端末の構成であって、第２筐体が第１筐体を覆う閉状態の一例を示す斜視図。
【図２】同処理端末の構成であって、同第２筐体が同第１筐体に対し立設した開状態の一例を示す斜視図。
【図３】同処理端末の構成を示すブロック図。
【図４】同処理端末の背面の構成を示す斜視図。
【図５】同処理端末の底面の構成を示す斜視図。
【図６】同処理端末の構成を示す断面図。
【図７】同処理端末の第１筐体の構成を示す斜視図。
【図８】同処理端末の第２筐体の構成を示す斜視図。
【図９】同処理端末のヒンジ部の構成を示す斜視図。
【図１０】同ヒンジ部の構成を示す側面図。
【図１１】同処理端末のケーブルの構成を示す斜視図。
【図１２】他の実施形態に係る処理端末のヒンジ部の構成を示す斜視図。
【図１３】同ヒンジ部の構成を示す側面図。
【発明を実施するための形態】
【０００８】
一実施形態に係る処理端末１を、図１乃至図１１を用いて説明する。  
図１及び図２は、本実施形態の処理端末１の構成を示す斜視図であって、図１は第２筐体２２が第１筐体２１を覆う状態を、図２は第２筐体２２が第１筐体２１に対し立設する状態を示す。図３は、処理端末１の構成を示すブロック図である。図４及び図５は、処理端末１の構成を背面側及び底面側からそれぞれ示す斜視図である。図６は、処理端末１の構成を示す断面図である。図７は、第１筐体２１の構成を上面側から示す斜視図である。図８は、第２筐体２２の構成を示す斜視図である。図９及び図１０は、処理端末１のヒンジ部２３の構成をそれぞれ示す斜視図及び側面図である。図１１は、処理端末１の構成であって、ヒンジ部２３及びケーブル２０の関係を示す斜視図である。
【０００９】
なお、本実施形態においては、処理端末１を設置面に設置した姿勢において第１筐体２１側を下側、第２筐体２２側を上側として上下方向を規定するとともに、ヒンジ部２３側を背面側、ヒンジ部２３側と相対する側を正面側として前後方向を規定して説明する。
【００１０】
図１乃至図６に示すように、処理端末１は、筐体１０と、プリンタ１１と、表示部１２と、操作部１３と、カードリーダライタ１４と、Ｉ／Ｏ（Input／Output）ポート１５と、開閉センサ１６と、第１基板１７と、第２基板１８と、ロック機構１９と、ケーブル２０と、を備える。処理端末１は、例えば、店舗に設置され、買上情報の入力や通信、レシート発行や、クレジットカード等の情報の読み込み等、決済処理を行うＰＯＳ端末である。
【００１１】
図１及び図２に示すように、筐体１０は、設置面に設置される第１筐体２１と、第１筐体２１に対して回転する第２筐体２２と、第１筐体２１及び第２筐体２２を回転可能に連結するヒンジ部２３と、を備えている。筐体１０は、第２筐体２２が第１筐体２１を覆う状態において、ヒンジ部２３側からヒンジ部２３と相対する側に向かって上面が下方に傾斜する略矩形箱状に構成される。
【００１２】
図１乃至図４に示すように、第１筐体２１は、上面が背面側から正面側に向かって傾斜し、且つ、上面が開口する矩形箱状に構成される。第１筐体２１は、プリンタ１１の構成の一部、Ｉ／Ｏポート１５及び開閉センサ１６、第１基板１７等を収容又は保持する。図２に示すように、第１筐体２１は、プリンタ１１に用いるロール紙を収容する窪みである用紙収容部３１を上面に有する。このような第１筐体２１は、例えば、フレームに外壁を構成する複数の化粧パネルが固定されることで構成される。例えば、化粧パネルの一部は、着脱可能にフレームに固定される。
【００１３】
また、第１筐体２１は、図４乃至図６に示すように、例えば、下面に、複数の脚２１ａと、複数の補助脚２１ｂと、を有する。本実施形態においては、第１筐体２１は、４つの脚２１ａと、２つの補助脚２１ｂと、を有する。
【００１４】
脚２１ａは、摩擦係数の大きい樹脂材料、例えばゴムにより形成され、設置面に当接することで、第１筐体２１に外力が印加されたときに第１筐体２１が設置面に沿った移動をすることを抑制する。脚２１ａは、第１筐体２１の下面の正面側に２つ、背面側に２つ配置される。
【００１５】
補助脚２１ｂは、第１筐体２１に一体に設けられた突起である。補助脚２１ｂは、第１筐体２１の下面であって、第１筐体２１の正面側の脚２１ａと背面側の脚２１ａとの間にそれぞれ配置される。
【００１６】
図１乃至図３及び図６に示すように、第２筐体２２は、プリンタ１１の構成の一部、表示部１２、操作部１３、カードリーダライタ１４及び第２基板１８等を収容又は保持する。第２筐体２２は、矩形板状に構成され、内部に第２基板１８を収容する空間を有する。第２筐体２２は、第１筐体２１の上面を覆うカバーである。
【００１７】
第２筐体２２は、第１筐体２１に対して、所定の角度範囲でヒンジ部２３を回転中心として回転する。具体的には、第２筐体２２は、ユーザにより操作されることで、閉位置と開位置の間でヒンジ部２３の回転中心周りの円運動を行う。
【００１８】
ここで、閉位置とは、第２筐体２２の第１筐体２１と対向する面の一部が第１筐体２１の上面と当接する位置である。また、開位置とは、第２筐体２２の延設方向が第１筐体２１の設置面に対して直交する位置か又は当該直交する位置よりも第１筐体２１から離間する方向に若干回転した位置である。
【００１９】
即ち、第２筐体２２は、閉位置において第１筐体２１の上面と当接し、そして、開位置において第１筐体２１の背面の一部と当接する形状に構成され、これら閉位置及び開位置の間で、第１筐体２１に対してヒンジ部２３の中心軸周りに往復動できるとともに、閉位置及び開位置を超えた移動が規制される。
【００２０】
なお、第２筐体２２の開位置は、第１筐体２１の上面に設けられた用紙収容部３１が露出してロール紙の供給ができ、そして、第２筐体２２が自重によって移動しない位置であれば、適宜設定できる。
【００２１】
具体例として、第２筐体２２は、上面に表示部１２及び操作部１３が配置されることで、ユーザが操作可能な表示ユニットを構成する。図２に示すように、第２筐体２２は、第１筐体２１と対向する面に、開口２２ａと、螺子２２ｂにより開口２２ａに着脱可能なカバー２２ｃと、を有する。また、図８に示すように、第２筐体２２は、内部に装着部２２ｄが設けられる。
【００２２】
図１、図２及び図４に示すように、第２筐体２２は、両側面の正面側の端部に設けられた吸気口２２ｅと、背面側に設けられた排気口２２ｆと、を有する。また、第２筐体２２は、内部に収容される第２基板１８やその他の構成に応じて、吸気口２２ｅから排気口２２ｆまでの空気の流路の一部を構成する壁、リブ及びパイプ等が内部に適宜設けられる。
【００２３】
図２及び図８に示すように、開口２２ａの開口面積は、第２基板１８に設けられる交換可能な交換部材５４が移動可能な大きさに設定される。開口２２ａは、第２筐体２２の第１筐体２１側の外面部のヒンジ部２３側に配置される。ここで、第２筐体２２の第１筐体２１側の外面部とは、第２筐体２２が閉位置にあるときに第２筐体２２の第１筐体２１と対向する部位である。また、第２筐体２２の開口２２ａの周囲には、螺子２２ｂが螺合する螺子穴が設けられる。
【００２４】
図２及び図８に示すように、カバー２２ｃは、開口２２ａを覆う。なお、カバー２２ｃは、通風のための孔を有していても良い。カバー２２ｃは、例えば、螺子２２ｂを螺子穴に螺合させて、開口２２ａに取り付けられる。
【００２５】
図８に示すように、装着部２２ｄは、第２筐体２２の内部であって、開口２２ａと対向する位置に配置される。具体的には、装着部２２ｄは、交換部材５４を着脱できる、開口２２ａと対向する第２基板１８の一部により構成される。具体例として、装着部２２ｄは、第２基板１８に設けられた交換部材５４が接続されるアタッチメントや、交換部材５４に挿通した螺子が螺合する螺子穴により構成される。
【００２６】
図１及び図２に示すように、吸気口２２ｅは、空気を吸い込む開口であり、異物等の侵入を防止可能な形状である。なお、吸気口２２ｅの数や形状は、適宜設定可能である。吸気口２２ｅは、第２筐体２２の両側面の正面側の端部に設けられることで、第２筐体２２が第１筐体２１を覆うときに、排気口２２ｆよりも下方に配置される。
【００２７】
図４及び図６に示すように、排気口２２ｆは、異物等の浸入を防止可能な開口形状で複数設けられる。例えば、排気口２２ｆの総開口面積は、吸気口２２ｅの総開口面積以上に設定される。
【００２８】
このような第２筐体２２は、例えば、フレームに外壁を構成する複数の化粧パネルが固定されることで構成される。例えば、化粧パネルの少なくとも一部は、着脱可能にフレームに固定される。また、カバー２２ｃは、第２筐体２２の第１筐体２１と対向する面の化粧パネルの一部を構成する。
【００２９】
図８乃至図１１に示すように、ヒンジ部２３は、第１筐体２１に対して第２筐体２２を回転可能に支持する。また、ヒンジ部２３は、第２筐体２２の回転を制動し、且つ、閉位置から開位置に向かって付勢する。
【００３０】
具体例として、ヒンジ部２３は、一対の回転軸２５と、一対の回転軸２５に設けられたダンパ２６と、回転軸２５に設けられた付勢部材２７と、を備える。
【００３１】
回転軸２５は、第１筐体２１及び第２筐体２２を回転可能に支持する。例えば、回転軸２５は、第１筐体２１及び第２筐体２２の一方に固定され、第１筐体２１及び第２筐体２２の他方にダンパ２６を介して保持されることで、第１筐体２１に対して第２筐体２２を回転可能に支持する。回転軸２５は、例えば螺子等によって構成される。
【００３２】
一対の回転軸２５は、所定の間隔を空けて同軸上に配置される。ここで、所定の間隔とは、図９に示すように、一対の回転軸２５の間にケーブル２０を配置可能な間隔である。
【００３３】
ダンパ２６は、一対の回転軸２５にそれぞれ設けられる。ダンパ２６は、回転軸２５を回転中心とした第２筐体２２の回転を制動する。ダンパ２６は、例えば、所謂揺動ダンパが用いられる。
【００３４】
付勢部材２７は、例えば、第２筐体２２を閉位置から開位置に向かって付勢する。例えば、付勢部材２７は、一軸周りの回転方向に沿って第２筐体２２を付勢するねじりばねである。以下、付勢部材２７をねじりばね２７として説明する。
【００３５】
ねじりばね２７は、第２筐体２２が閉位置から開位置に向かって回転する方向に付勢する。また、ねじりばね２７は、第２筐体２２が閉位置においてもっとも付勢力が強く設定される。また、ねじりばね２７は、第２筐体２２が閉位置にあるときに、第２筐体２２の重量よりも若干大きい付勢力を第２筐体２２に印加可能に設定される。
【００３６】
例えば、ねじりばね２７は、付勢力が生じない中立点が第２筐体２２の開位置か、又は、開位置よりも閉位置から離間する方向に若干ずれた位置に設定される。即ち、ねじりばね２７は、第２筐体２２が開位置にあるときに第２筐体２２を付勢しないか、又は、第２筐体２２が開位置にあるときに第２筐体２２を閉位置から離間する方向へ付勢する。また、ねじりばね２２は、第２筐体２２が開位置から閉位置に向かって回転するに従い、第２筐体２２の回転方向に抗う方向に第２筐体２２を付勢する付勢力が漸次増大する。
【００３７】
このようなねじりばね２７は、一対の回転軸２５の一方又は双方に設けられる。ねじりばね２７が一対の回転軸２５に設けられる場合には、一対のねじりばね２７により、ねじりばね２７が一方の回転軸２５に設けられる場合には、一つのねじりばね２７により所望の付勢力が生じるように設定される。本実施形態においては、ねじりばね２７は、一対の回転軸２５にそれぞれ設けられる。
【００３８】
ねじりばね２７は、一端が第１筐体２１に支持され、他端が第２筐体２２に支持される。具体例として、ねじりばね２７は、第１筐体２１に設けられた第１座部２７ａと、第２筐体２２に設けられた第２座部２７ｂにより支持される。第１座部２７ａ及び第２座部２７ｂは、回転軸２５周りの一方向で、ねじりばね２７の端部を支持する。また、第１座部２７ａ及び第２座部２７ｂは、回転軸２５の軸方向からねじりばね２７の端部を配置可能に、第１筐体２１及び第２筐体２２に設けられる。
【００３９】
図１乃至図３及び図６に示すように、プリンタ１１は、用紙収容部３１と、ヘッド３２と、プラテン３３と、駆動機構３４と、排紙口３５と、を備える。プリンタ１１は、ロール紙をプラテン３３によりヘッド３２に供給し、ヘッド３２でロール紙に印字する。例えば、ロール紙は、加熱により発色する一方向に長い帯状の感熱紙が捲回されることで構成される。
【００４０】
図１乃至図３及び図６に示すように、用紙収容部３１は、第１筐体２１の上部に設けられる。用紙収容部３１は、ロール紙の送り方向が筐体１０のヒンジ部２３側である背面側からヒンジ部２３と相対する側である正面側となるように、ロール紙の軸心が筐体１０の前後方向及び重力方向に対して直交する方向で収容可能に、第１筐体２１の上部が半円柱状に窪むことで構成される。
【００４１】
ヘッド３２は、サーマルヘッドである。図２及び図７に示すように、ヘッド３２は、給紙時におけるロール紙の送り方向、即ち、筐体１０の背面側から正面側へ向かう方向に対して直交する幅方向で、部分的に発熱可能に構成される。ヘッド３２は、第１筐体２１の上部であって、用紙収容部３１よりも正面側に配置される。
【００４２】
プラテン３３は、所謂プラテンローラである。図２及び図８に示すように、プラテン３３は、第２筐体２２の、第１筐体２１に設けられたヘッド３２と対向する位置に設けられる。プラテン３３は、ヘッド３２との間に感熱紙を挟み込むとともに、駆動機構３４により回転駆動することで、感熱紙を送り方向に沿って搬送する。
【００４３】
駆動機構３４は、例えば、モータや歯車等によって構成され、プラテン３３を一軸周りに回転する。
【００４４】
図１及び図２に示すように、排紙口３５は、筐体１０の正面であって、且つ、第１筐体２１及び第２筐体２２の対向する部位に設けられ、ロール紙を排紙する開口である。排紙口３５は、例えば、第１筐体２１に設けられた、ロール紙を切断するカッター等を含む。
【００４５】
図３に示すように、第１基板１７は、ヘッド３２及び駆動機構３４に電気的に接続され、ヘッド３２及び駆動機構３４の動作を制御するコントローラを有する。第１基板１７は、ケーブル２０により第２基板１８に電気的に接続される。
【００４６】
表示部１２は、例えば、液晶ディスプレイと、液晶ディスプレイの表面を保護するガラスと、を含む。図１及び図６に示すように、表示部１２は、筐体１０の上面を構成する第２筐体２２の外面の略全面にわたり配置される。表示部１２は、情報を表示可能に構成される。表示部１２は、情報を表示した状態をＯＮとする。また、表示部１２は、情報を非表示とした状態をＯＦＦとする。
【００４７】
操作部１３は、処理端末１を操作するためのキー信号を入力する入力部である。操作部１３は、例えばタッチパネルである。図１及び図６に示すように、操作部１３は、例えば、表示部１２の液晶ディスプレイ及びガラスの間に配置されるか、又は、ガラスに一体に設けられる。また、操作部１３は、表示部１２と同じ範囲に配置されるか、又は、表示部１２よりも広範囲に配置される。操作部１３は、タッチ操作を認識し、タッチ操作による入力信号を第２基板１８に送信する。なお、操作部１３は、タッチパネルの他にボタン等のハードキーを有していてもよい。操作部１３は、入力信号を第２基板１８に送信する、操作部１３の機能を有効とした状態をＯＮとする。また、操作部１３は、操作部１３の操作による入力信号を生じさせない、または、入力信号の第２基板１８への送信を停止する、操作部１３の機能を停止した状態をＯＦＦとする。
【００４８】
図１に示すように、カードリーダライタ１４は、第２筐体２２の一方の側面に設けられる。カードリーダライタ１４は、カードに記録された情報の読み込み、及び、カードへの情報の書き出しが可能に構成される。ここでカードとは、例えば、クレジットカードやプリペイドカード等の決済カードである。
【００４９】
図３及び図４に示すように、Ｉ／Ｏポート１５は、例えば、Ｉ／Ｏ基板に設けられたＵＳＢ等のコネクタである。Ｉ／Ｏポート１５は、周辺機器２００等に接続されるケーブルの端子１００と接続する。
【００５０】
開閉センサ１６は、処理端末１の閉状態及び開状態を検出する。例えば、図６及び図７に示すように、開閉センサ１６は、第１筐体２１のヘッド３２近傍に配置される。開閉センサ１６は、ヘッド３２にプラテン３３が接触したときに、プラテン３３又はプラテン３３の周辺に設けられた開閉センサ１６を操作する部材により操作される。開閉センサ１６は、操作された情報を信号として第１基板１７や第２基板１８に送信する。
【００５１】
ここで、処理端末１の閉状態とは、第１筐体２１に対する第２筐体２２の位置が閉位置にあり、そして、ロック機構１９により第１筐体２１に第２筐体２２が固定されている状態を意味する。また、処理端末１の開状態とは、ロック機構１９による第１筐体２１に対する第２筐体２２の固定が解除されており、そして、第１筐体２１に対し第２筐体２２が若干離間した位置から開位置の間のいずれかにある状態を意味する。換言すると、処理端末１の開状態とは、ユーザが第２筐体２２を閉位置に向って回転させることができる状態を意味する。
【００５２】
具体例として、開閉センサ１６は、処理端末１が閉状態にあるときにＯＮとなり、第１基板１７及び第２基板１８に信号を送信する。
【００５３】
また、開閉センサ１６は、処理端末１が開状態にあるときにＯＦＦとなり、第１基板１７及び第２基板１８への信号の送信を停止する。なお、第２筐体２２はねじりばね２７によって開位置に向かって付勢されることから、ロック機構１９によって第１筐体２１に対する第２筐体２２の固定が解除されると、第２筐体２２は、ねじりばね２７の付勢力により閉位置から若干開位置に向かって移動する。これにより処理端末１は開状態となり、ヘッド３２及びプラテン３３が離間する。よって、ロック機構１９による第１筐体２１に対する第２筐体２２の固定が解除されると、ユーザが第２筐体２２を回転させなくても、処理端末１が開状態となり、開閉センサ１６がＯＦＦとなる。
【００５４】
第１基板１７は、第２基板１８とケーブル２０を介して接続される。第１基板１７は、第１筐体２１内に固定される。例えば、第１基板１７は、Ｉ／Ｏポート１５に接続される。第１基板１７は、回路素子が実装される。
【００５５】
図２及び図７に示すように、第２基板１８は、基板４１と、基板に実装される回路素子４２と、を備える。基板４１は、第２筐体２２内に収容される。また、基板４１は、少なくとも一部が装着部２２ｄを構成する。基板４１の少なくとも基板４１の装着部２２ｄを構成する部位は、開口２２ａに対向する位置に配置される。回路素子４２は、例えば、プロセッサ５１と、ＲＯＭ５２と、ＲＡＭ５３と、ＳＳＤ５４と、を含む。回路素子４２の一部は、例えば、基板４１に着脱可能に構成される。第２基板１８は、第２筐体２２内に収容されるとともに、基板４１に着脱可能な一部の回路素子４２が開口２２ａに対向する位置に配置される。
【００５６】
図３に示すように、プロセッサ５１は、ＲＯＭ５２、ＲＡＭ５３、ＳＳＤ５４、表示部１２、操作部１３、Ｉ／Ｏポート１５、開閉センサ１６、及び、第１基板１７の有するコントローラに、システム伝送路５５を介して接続される。システム伝送路５５は、アドレスバス、データバス、制御信号線等を含む。プロセッサ５１は、ＲＯＭ５２及びＲＡＭ５３に記憶されたオペレーティングシステム、ミドルウェアおよびアプリケーションプログラムに基づいて、処理端末１としての各種の機能を実現するべく各部を制御する制御部である。
【００５７】
図２、図７及び図８に示すように、ロック機構１９は、第１筐体２１に設けられる係合部６１と、第２筐体２２に設けられる被係合部６２と、第１筐体２１の外面に設けられ、係合部６１を操作する操作体６３と、を備える。
【００５８】
ロック機構１９は、第２筐体２２が閉位置に移動したときに、係合部６１及び被係合部６２が係合し、第２筐体２２を第１筐体２１に固定する。また、ロック機構１９は、操作体６３が操作されることで係合部６１及び被係合部６２の係合を解除し、閉位置から開位置に向かって第２筐体２２を回転可能とする。操作体６３は、例えば、係合部６１に機械的に接続され、押下操作されたときに係合部６１を被係合部６２と係合した状態から係合を解除する状態に操作する釦である。
【００５９】
ケーブル２０は、第１基板１７及び第２基板１８を電気的に接続する。図９及び図１１に示すように、ケーブル２０は、第１筐体２１内からヒンジ部２３の一対の回転軸２５の間に設けられた空間を介して第２筐体２２内に配置される。なお、図１１は、ケーブル２０の一方が取り外されている状態を示す。このようなケーブル２０は、例えば、所謂フラットケーブルやフレキシブル回路基板である。
【００６０】
ケーブル２０は、例えば、第１基板１７及び第２基板１８を接続する方向、即ち、ケーブル２０の長手方向に対して直交する幅方向の長さが一対の回転軸２５間の距離よりも短いシート状に構成されている。また、ケーブル２０の長手方向の長さは、第２筐体２２が閉位置及び開位置の間のいずれにあっても第１基板１７及び第２基板１８を接続できる長さに設定される。ケーブル２０は、両端部に第１基板１７及び第２基板１８と接続するコネクタ２０ａを有する。なお、ケーブル２０は、フラットケーブルに限定されず、第１基板１７及び第２基板１８を接続可能であって、且つ、一対の回転軸２５の間に配置可能であれば、他のケーブル２０を用いても良い。
【００６１】
次に、このように構成された処理端末１の使用の一例として、第１筐体２１に対する第２筐体２２の開閉動作について説明する。
【００６２】
先ず、図１に示すように、処理端末１の決済処理等を行う閉状態にある場合には、第２筐体２２は、ロック機構１９によって第１筐体２１に固定されている。このとき、開閉センサ１６が処理端末１の閉状態を検出し、送信した信号をプロセッサ５１が受信すると、プロセッサ５１は、処理端末１としての各種の機能を実現する。
【００６３】
例えば、処理端末１の使用に際し、ロール紙の補給が必要になった場合には、ロール紙の補給のために、ロック機構１９の操作体６３が操作される。この操作によって、係合部６１及び被係合部６２の係合が解除される。
【００６４】
係合部６１及び被係合部６２の係合が解除されると、ねじりばね２７の付勢力によって第２筐体２２が第１筐体２１から移動する。これにより、処理端末１は開状態となり、そして、第２筐体２２は、第１筐体２１に対して回転可能となる。このとき、開閉センサ１６は、処理端末１の開状態を検出し、信号の送信を停止することで、プロセッサ５１は、処理端末１としての各種機能を停止する。
【００６５】
次いで、第２筐体２２がユーザによって回転され、図２に示すように開位置に到達すると、第１筐体２１の上面に用紙収容部３１が露出する。これにより、ロール紙を補給することができる。また、第２筐体２２を開位置に回転すると、第２筐体２２の回転はダンパ２６により制動されるが、ねじりばね２７が閉位置側から開位置に向かう方向に第２筐体を付勢することから、ユーザによる回転操作をねじりばね２７が補助し、回転操作に要する力を低減できる。
【００６６】
ロール紙の補給終了後、ユーザにより開位置から閉位置へ回転され、第２筐体２２が閉位置に到達すると、第１筐体２１上面に第２筐体２２が当接し、ロック機構１９により第２筐体２２が第１筐体２１に固定される。これにより、図１に示すように、処理端末１は閉状態となる。
【００６７】
なお、第２筐体２２が開位置から閉位置に向かって回転し、第２筐体２２の重力方向に対する傾斜角度が増加すると、第２筐体２２の自重によってトルクが増加し、第２筐体２２の回転時にユーザが第２筐体２２の自重を支えるために必要な力も増加する。しかしながら、第２筐体２２は、第２筐体２２の回転はダンパ２６により制動されるとともに、開位置から閉位置に向かう回転方向と逆方向にねじりばね２７により付勢される。即ち、ダンパ２６により回転速度が低減されるとともに、ねじりばね２７により第２筐体２２の回転方向に抗う方向に力が生じる。
【００６８】
このため、第２筐体２２を開位置から閉位置に回転するときに、ユーザが第２筐体２２を支えるために必要な力を低減させることができる。加えて、ねじりばね２７は、閉位置において最も付勢力が大きくなる設定であることから、第２筐体２２の傾斜角度が増加するにしたがって第２筐体２２に生じるトルクが増加したとしても、ユーザが第２筐体を支える力が増大することを防止できる。また、ねじりばね２７の設定によっては、開位置から閉位置に回転するときに第２筐体２２を支えるために要する力を略一定にすることもできる。
【００６９】
このように構成された処理端末１によれば、第２筐体２２を閉位置側から開位置へ回転させるときに、ねじりばね２７の付勢力により、第２筐体２２の回転を補助することができる。また、処理端末１は、第２筐体２２を開位置から閉位置へ回転させるときに、ねじりばね２７の付勢力によって第２筐体２２の回転方向に抗う力を生じさせるとともに、ダンパ２６によって第２筐体２２の回転を制動する。これにより、第２筐体２２を開位置から閉位置へ移動させたときに回転速度が増加することを防止するとともに、ユーザが第２筐体２２を支える力を低減できる。
【００７０】
これらのことから、処理端末１は、開閉操作の操作性を向上することができる。特に、第２筐体２２に、表示部１２や第２基板１８等を設けた場合には、第２筐体２２の重量が増加することになるが、第２筐体２２の重量が増加しても、開閉操作の操作性が低減することを防止できる。また、第２筐体２２の重量を増加させることができることから、種々の部品を第２筐体２２に配置することも可能となり、設計の自由度を向上させることもできる。
【００７１】
また、ダンパ２６及びねじりばね２７を設けることで、第２筐体２２の制動のためにダンパ２６が要するトルクを低減することができることから、第２筐体２２を開方向に向かって回転させるときの操作性が低減することを防止できる。
【００７２】
また、処理端末１は、一対の回転軸２５及びダンパ２６をケーブル２０が配置可能な間隔で配置することで、第１基板１７及び第２基板１８を接続するケーブル２０等の配置スペースを確保することができる。即ち、ケーブル２０等を配置するためのスペースを別途確保する必要がなく、処理端末１の小型化が可能となる。
【００７３】
さらに、第２筐体２２を開位置から閉位置に移動させるときに、ユーザが誤って第２筐体２２の保持を解除した場合であっても、ダンパ２６及びねじりばね２７により、第２筐体２２の自重による回転速度を低減させることが可能となる。これにより、第２筐体２２が勢いよく第１筐体２１に衝突することを防止できることから、第２筐体２２が故障することを防止できるとともに、手指を挟む等を防止できることから、製品の安全性及び使用時の安全性を向上させることもできる。
【００７４】
上述したように、本実施形態に係る処理端末１によれば、第２筐体２２を第１筐体２１対して回転可能に支持するヒンジ部２３にダンパ２６及びねじりばね２７を設けることで、第２筐体２２を第１筐体２１に対して回転操作するときの操作性を向上できる。
【００７５】
なお、本実施形態は、上述した例に限定されない。例えば、上述した例では、処理端末１は、螺子等で構成された回転軸２５を用いる構成を説明したがこれに限定されない。例えば、図１２に示すように、回転軸２５及びダンパ２６が一体に組み立てられた組み立て品を用いてもよい。また、一対のねじりばね２７を用いる構成を説明したがこれに限定されず、図１２及び図１３に示すように、一方の回転軸２５及びダンパ２６に一つのねじりばね２７を設ける構成であってもよい。なお、ねじりばね２７を一つのみ設ける場合には、必要となる付勢力は、一対のねじりばね２７よりも大きく設定される。また、ねじりばね２７の径及び線径も大きくなるとともに、変形時のねじりばね２７の径の変化率も大きくなることから、ねじりばね２７の設置スペースの空間を大きくすることが好ましい。
【００７６】
以上述べた少なくともひとつの実施形態の処理端末１によれば、第２筐体２２を第１筐体２１に対して回転操作するときの操作性を向上できる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１…処理端末、１０…筐体、１１…プリンタ、１２…表示部、１３…操作部、１４…カードリーダライタ、１５…Ｉ／Ｏポート、１６…開閉センサ、１７…第１基板、１８…第２基板、１９…ロック機構、２０…ケーブル、２０ａ…コネクタ、２１…第１筐体、２１ａ…脚、２１ｂ…補助脚、２２…第２筐体、２２ａ…開口、２２ｂ…螺子、２２ｃ…カバー、２２ｄ…装着部、２２ｅ…吸気口、２２ｆ…排気口、２３…ヒンジ部、２５…回転軸、２６…ダンパ、２７…付勢部材（ねじりばね）、２７ａ…第１座部、２７ｂ…第２座部、３１…用紙収容部、３２…ヘッド、３３…プラテン、３４…駆動機構、３５…排紙口、４１…基板、４２…回路素子、５１…プロセッサ、５４…交換部材、５５…システム伝送路、６１…係合部、６２…被係合部、６３…操作体、１００…端子、２００…周辺機器。
【図１】
2019198985.tif 000003
【図２】
2019198985.tif 000004
【図３】
2019198985.tif 000005
【図４】
2019198985.tif 000006
【図５】
2019198985.tif 000007
【図６】
2019198985.tif 000008
【図７】
2019198985.tif 000009
【図８】
2019198985.tif 000010
【図９】
2019198985.tif 000011
【図１０】
2019198985.tif 000012
【図１１】
2019198985.tif 000013
【図１２】
2019198985.tif 000014
【図１３】
2019198985.tif 000015